(57)【特許請求の範囲】
【請求項１】
平板状で膝を覆う大きさに形成した断熱性および衝撃緩衝性を有する膝防護部材と、パンツ本体の両前身頃の表地または裏地における膝に対応する部分に設けられ前記膝防護部材を収納するポケット状の収納部と、この収納部内に配設され前記膝防護部材の収納位置を調整する位置調整手段とを備え、前記位置調整手段は、膝防護部材の上部および下部に対応する収納部の上下方向に所要の間隔をあけて複数対設けられ、前記膝防護部材を任意の位置に調整可能に定着させることを特徴とするスノーボードパンツ。
【請求項２】
平板状で膝を覆う大きさに形成した断熱性および衝撃緩衝性を有する膝防護部材と、パンツ本体の両前身頃の表地または裏地における膝に対応する部分に設けられ前記膝防護部材を収納するポケット状の収納部と、この収納部内に配設され前記膝防護部材の収納位置を調整する位置調整手段とを備え、前記位置調整手段が、収納部内の対向する内側面に配設した複数対の両面ファスナーであることを特徴とするスノーボードパンツ。
【請求項３】
前記位置調整手段が、収納部内の対向する内側面に配設した複数対の両面ファスナーであることを特徴とする請求項１記載のスノーボードパンツ。
【発明の詳細な説明】
【０００１】
【発明の属する技術分野】
この発明は、ウィンタースポーツであるスノーボーディング用に着用するスノーボードパンツに関するものである。
【０００２】
【従来の技術】
雪の斜面を滑降したり、空中回転を行ったりするスノーボーディングを行うプレイヤーは通常スノーボードウェアと称するウェアを着用している。
このスノーボーディングは、通常、スキーのようにストックを使用しないため、スノーボーダーが急斜面で静止する場合には、雪面に向う体勢でスノーボードのエッジを斜面に立て、かつ膝を雪面に接して自己の体を保持し、斜面から滑り落ちない待機姿勢をとるようにしている。
従ってこのように膝を雪上に接していると、脚や身体が急速に冷えてプレイに悪影響をもたらす。また、空中回転のように激しい動作を行う場合、転倒することも多く、特に、膝が固い雪上へ強く叩きつけられて傷害をおこすこともよくあることから、近時、膝の防護のためにパッドが用いられている。
このパッドには、断熱性と衝撃緩衝性とを兼ね備えた材料が用いられ、膝を覆うことのできる大きさの平板状に形成したものをスノーボードパンツの両前身頃の裏地に形成した収納袋に収納するようにしている。この収納袋は、膝とほぼ対応する部分に設けられるので、雪の斜面に膝を立てて待機するときは、収納したパッドの断熱効果により身体の冷えを和らげることができる。また、転倒時に膝を強く打った場合であってもパッドの衝撃緩衝作用により膝への傷害を軽減しようとするものである。
【０００３】
【発明が解決しようとする課題】
ところで、上記従来のスノーボードパンツは、膝部分に設けた収納袋内のパッドは縫着手段によって定位置に固定されているので、スノーボーダーが体型に応じたサイズのパンツを選択しても、着用者の身長および座高に個人差があるため、両膝に対向する適正な位置にパッドがフィットしないことがよくある。
このように、膝とパッドとの間に位置ずれが生じると、雪の斜面に膝を立てて待機姿勢をとったとき、パッドの断熱効果を充分に発揮できず、身体が冷やされるという不具合を生じていた。また、転倒した場合等、膝にかかる衝撃を緩和することができないという問題があった。
勿論、パッドおよび収納袋を大きく形成して膝を充分に覆うようにすることも考えられるが、このようにすると、パッドを収納した前身頃が突っ張ってパンツ全体のスタイルを著しく崩すことになり、新たに製品販売上の問題が生ずることになる。
【０００４】
そこで、本発明のうち請求項１項記載の発明は、断熱性および衝撃緩衝性を有する膝防護部材を常にパンツ本体の適正位置へ保持可能にして、雪の斜面に膝を立てて待機姿勢をとるときに身体が冷やされるという問題を軽減し、転倒時における膝への傷害を未然に防止し得るスノーボードパンツを提供することを目的としている。
また、本発明のうち請求項２項記載の発明は、膝を防護する膝防護部材を適宜位置に確実に定着させ、プレイ中に脱落することなくパンツ本体に保持され得るスノーボードパンツを提供することを目的としている。
また、本発明のうち請求項３項記載の発明は、位置調整手段として両面ファスナーを使用したことにより簡単な操作でパッドの位置調整も容易に行えるスノーボードパンツを提供することを目的としている。
【０００５】
【課題を解決するための手段】
上記の目的を達成するため、本発明のうち請求項１記載の発明は、平板状で膝を覆う大きさに形成した断熱性および衝撃緩衝性を有する膝防護部材と、パンツ本体の両前身頃の表地または裏地における膝に対応する部分に設けられ前記膝防護部材を収納するポケット状の収納部と、この収納部内に配設され前記膝防護部材の収納位置を調整する位置調整手段とを備え、前記位置調整手段は、膝防護部材の上部および下部に対応する収納部の上下方向に所要の間隔をあけて複数対設けられ、前記膝防護部材を任意の位置に調整可能に定着させることを特徴としている。
また、本発明のうち請求項２項記載の発明は、平板状で膝を覆う大きさに形成した断熱性および衝撃緩衝性を有する膝防護部材と、パンツ本体の両前身頃の表地または裏地における膝に対応する部分に設けられ前記膝防護部材を収納するポケット状の収納部と、この収納部内に配設され前記膝防護部材の収納位置を調整する位置調整手段とを備え、前記位置調整手段が、収納部内の対向する内側面に配設した複数対の両面ファスナーであることを特徴としている。
また、本発明のうち請求項３項記載の発明は、請求項１記載の発明の構成における位置調整手段が、収納部内の対向する内側面に配設した複数対の両面ファスナーであることを特徴としている。
【０００６】
【発明の実施の形態】
以下、本発明の実施の形態を、図示例を参照しながら説明する。
図１は、本発明の実施の形態に係るスノーボードパンツの裏地側を示す正面図であって、パンツ本体を裏返しにして正面から見た図である。
このスノーボードパンツは、パンツ本体１の両前身頃２、３にポケット部５、５をそれぞれ設け、このポケット部５内に収納するパッド（膝防護部材）４を複数対の両面ファスナー（位置調整手段）６〜８により位置調整可能とする構成になっている。
パッド４は、図２に示すように平板状で、図７に示すスノーボーダーＭの膝Ｎをほぼ覆う大きさの略方形状に形成している。このパッド４は、特に膝Ｎを保護するため、断熱性や衝撃緩衝性に優れた発泡ウレタンにより製作している。
前記パンツ本体１は、ナイロンタフタ等の織布からなる表地１ａと裏地１ｂとの間に中綿１ｃを挟んで厚手に縫製したもので、保温性を有するとともにクッション性も兼ね備えている。
ポケット部５は、パッド４よりも幅広の細長い布地をパンツ本体１の両前身頃２、３における膝Ｎに対応する膝部２ａ、３ａにそれぞれ縫着し、上方が開口した袋状に形成する。本例では、両前身頃２、３の裏地１ｂ側にポケット部５を設けている。
なお、このポケット部５は、各開口部５ａの上方に蓋部９を縫着して、この蓋部９と開口部５ａとの対向面に細長の両面ファスナー１０を取り付けてあり、ポケット部５にパッド４を収納した後に蓋部９で開口部５ａを施蓋できるようになっている。
両面ファスナー６〜８は、何度も接着と分離が可能な機能を有し、横幅を縦幅より長く形成してある。この両面ファスナー６〜８は、ポケット部５の内側面のほぼ中央に３個を配設するが、下段の両面ファスナー６をポケット部５の下端５ｂより数ｃｍ高い位置とし、中段の両面ファスナー７および上段の両面ファスナー８もこれと同じ間隔をあけて取り付けてある。
【０００７】
これにより、ポケット部５内は、各両面ファスナー６〜８を接着することで、下段、中段、および上段の３段階に仕切ることができ、パッド４を収納するときにスノーボーダーＭの選択に応じて任意の位置に保持することが可能となる。
例えば、下段および中段の両面ファスナー６、７を接着しておくと（図３、図４参照）、パッド４を中央に位置させることができ、下段の両面ファスナー６のみを接合すると（図５、図６参照）、パッド４を下方に位置させることができる。
このように、パッド４が上下方向で自在に位置調節可能であることにより、スノーボードパンツの着用時にパッド４が膝Ｎを覆うことのできる高さに保持しておけるので、スノーボーディングを行うスノーボーダーＭの身体を適切に保護し得るものである。
図７に示すように、スノーボーダーＭが雪Ｓの斜面に膝ＮとスノーボードのエッジＴとを立てて待機の姿勢をとるときは、膝Ｎとパッド４との間に位置ずれが生じないから、膝Ｎは常にパッド４を介して雪Ｓに接する状態となり、身体が急速に冷やされることがない。また、空中回転時或いは転倒した場合にも、パッド４が衝撃を緩和して膝Ｎへのショックを和らげるから、膝Ｎへの傷害を未然に防止することができる。
【０００８】
図８は、本発明の実施の形態に係る位置調整手段の変形例を示す正面図である。
この位置調整手段は、前記両面ファスナー６〜８を２個１対としてポケット部１５内に複数対を設けたものである。すなわち、前記下段および中段ファスナー６、７に対応し、ポケット部１５の上部側にパッド４の縦幅にほぼ等しい間隔をあけて下段保持ファスナー６ａと中段保持ファスナー７ａとを配設している。なお、上段ファスナー８に対しては、前記蓋部９を省略して開口部１５ａの内側に設けた両面ファスナーを上段保持ファスナー８ａとし、これを含めて３段階の調節位置でパッド４を固定できるようになっている。
例えば、図９に示すように、下段および中段ファスナー６、７を接合しておいてパッド４を収納し、中段保持ファスナー７ａと上段保持ファスナー８ａとを接着すると、パッド４がほぼ中央位置に保持される。この際、中段および中段保持ファスナー７、７ａがパッド４の上下部を挟む状態で移動を規制するので、スノーボーダーＭが激しい動作をしてもパッド４が上下に移動したり、ポケット部１５から飛び出すようなことはなくなる。
【０００９】
図１０は、本発明の実施の形態に係るポケット部の変形例を示す正面図である。
このポケット部２５は、前記パンツ本体１の両前身頃２、３における裏地を内外の２重の裏地１ｂ、１１ｂとし、外側の裏地１１ｂでポケット部２５を形成している。そして、ポケット部２５の内側面に３つの両面ファスナー６〜８を配設し、蓋部９は省略して開口部２５ａの内側縁に両面ファスナー１０を設けている。これにより、図１１に示すように、下段および中段ファスナー６、７を接合してパッド４をほぼ中央位置に保持すると、図３および図４に示した場合と同じく、スノーボーダーＭの膝Ｎを適正に防護することができる。
なお、上記実施の形態においては、ポケット部５を裏地１ｂに設ける場合について説明したが、両前身頃２、３の表地１ａにポケット部５をそれぞれ設けて両面ファスナー６〜８も配設し、パッド４を上下方向で位置調節可能に収納してもよい。
【００１０】
【発明の効果】
以上説明したように、本発明のうち請求項１記載の発明は、パンツ本体の両前身頃の表地または裏地に設けた収納部内に、断熱性および衝撃緩衝性を有した膝防護部材を適当な位置に調節して収納するので、常に着用者の膝の部位に合わせて膝防護部材を保持でき、雪の斜面に膝を立てて待機姿勢をとるとき等に脚や身体が冷やされる問題が軽減されるうえ、空中回転後に雪上へ着地する際に膝への傷害を未然に防止できる効果がある。また、複数対の位置調整手段を収納部の上下方向に設けたので、膝防護部材を任意の保持位置に固定することができ、プレイ中に膝防護部材が収納部から脱落して膝の防護機能が損なわれる問題が回避されるという効果がある。
また、本発明のうち請求項２項記載の発明は、収納部内の対向する内側面に複数対の両面ファスナーを配設して位置調整手段を形成するので、構造が極めて簡単であり、膝防護部材の位置調整を容易に行うことができるという効果がある。
また、本発明のうち請求項３項記載の発明は、上記請求項１および請求項２記載の発明の各効果を併せて奏することができるものである。
【図面の簡単な説明】
【図１】本発明の実施の形態に係るスノーボードパンツの裏地側を示す正面図である。
【図２】収納部内に膝防護部材を収納する状態を示す説明図である。
【図３】収納部の中央位置に保持された膝防護部材を示す説明図である。
【図４】同膝防護部材を収納した収納部の縦断面図である。
【図５】収納部の下部位置に保持された膝防護部材を示す説明図である。
【図６】同膝防護部材を収納した収納部の縦断面図である。
【図７】スノーボードパンツを着用したユーザーの待機姿勢を示す説明図である。
【図８】本発明の実施の形態に係る位置調節手段の変形例を示す正面図である。
【図９】同位置調節手段により膝防護部材を収納した収納部の縦断面図である。
【図１０】本発明の実施の形態に係る収納部の変形例を示す正面図である。
【図１１】同収納部の縦断面図である。
【符号の説明】
１  パンツ本体
１ａ  表地
１ｂ  裏地
２  前身頃
３  前身頃
４  膝防護部材
５  収納部
６〜８  位置調整手段
【図１】
0003770690.tif 000002
【図２】
0003770690.tif 000003
【図３】
0003770690.tif 000004
【図４】
0003770690.tif 000005
【図５】
0003770690.tif 000006
【図６】
0003770690.tif 000007
【図７】
0003770690.tif 000008
【図８】
0003770690.tif 000009
【図９】
0003770690.tif 000010
【図１０】
0003770690.tif 000011
【図１１】
0003770690.tif 000012